(57)【要約】【課題】  挿着・離脱を容易に行なうことができるコネクタ着脱用治具およびコネクタ着脱構造を提供すること。【解決手段】  本発明のコネクタ着脱構造は、機器２０の壁面２２における開口部２３周辺に形成された引掛部２４と、コネクタ３０の側部に突出形成された着脱用突起３２と、把持部１１、該把持部１１から延びた延長部１２、該延長部１２から二又に分岐された分岐部１３、該分岐部１３から延びて、その先端が引掛部１４に差し込まれる支点部１４、および該支点部１４と分岐部１３との間に設けられてコネクタ３０の着脱用突起３２と係合する切欠き部１５、を有するコネクタ着脱用治具１０と、を備えている。【選択図】      図２
2005222713.tif 000002
【特許請求の範囲】
【請求項１】
内部に一方の端子を有し、壁面に設けられた開口部から前記一方の端子が露出する機器と、前記開口部を介して前記機器に直接組付けられて前記一方の端子に電気的に接続される他方の端子を有するコネクタと、を着脱するためのコネクタ着脱用治具であって、
把持部、当該把持部から延びた延長部、当該延長部から二又に分岐された分岐部、当該分岐部から延びて、その先端が前記壁面の前記開口部周辺に設けられた引掛部に差し込まれる支点部、および当該支点部と前記分岐部との間に設けられて前記コネクタの側部から突出する着脱用突起と係合する切欠き部、を有することを特徴とするコネクタ着脱用治具。
【請求項２】
請求項１に記載したコネクタ着脱用治具であって、
前記支点部が、略球状をなし、前記引掛部と対偶を形成するように結合されていることを特徴とするコネクタ着脱用治具。
【請求項３】
請求項１または請求項２に記載したコネクタ着脱用治具であって、
前記支点部が前記引掛部に差し込まれて前記切欠き部が前記着脱用突起に係合されたときに、前記コネクタの嵌合方向への操作および離脱方向への操作の両方において、前記着脱用突起への前記切欠き部の当接に伴い、前記コネクタの嵌合補助および離脱補助を行なうことを特徴とするコネクタ着脱用治具。
【請求項４】
内部に一方の端子を有し、壁面に設けられた開口部から前記一方の端子が露出する機器と、前記開口部を介して前記機器に直接組付けられて前記一方の端子に電気的に接続される他方の端子を有するコネクタと、を着脱自在にするコネクタ着脱構造であって、
前記機器の前記壁面における前記開口部周辺に形成された引掛部と、
前記コネクタの側部に突出形成された着脱用突起と、
把持部、当該把持部から延びた延長部、当該延長部から二又に分岐された分岐部、当該分岐部から延びて、その先端が前記引掛部に差し込まれる支点部、および当該支点部と前記分岐部との間に設けられて前記コネクタの前記着脱用突起と係合する切欠き部、を有するコネクタ着脱用治具と、
を備えていることを特徴とするコネクタ着脱構造。
【請求項５】
請求項４に記載したコネクタ着脱構造であって、
前記支点部が、略球状をなし、前記引掛部と対偶を形成するように結合されていることを特徴とするコネクタ着脱構造。
【請求項６】
請求項４または請求項５に記載したコネクタ着脱構造であって、
前記支点部が前記引掛部に差し込まれて前記切欠き部が前記着脱用突起に係合されたときに、前記コネクタの嵌合方向への操作および離脱方向への操作の両方において、前記着脱用突起への前記切欠き部の当接に伴い、前記コネクタの嵌合補助および離脱補助を行なうことを特徴とするコネクタ着脱構造。
【発明の詳細な説明】
【技術分野】
【０００１】
本発明は、コネクタを機器に着脱自在にするコネクタ着脱用治具およびコネクタ着脱構造に関する。
【背景技術】
【０００２】
コネクタ着脱構造の一例が図６に示される。図６に示されるように、このコネクタ着脱構造は、リフレバー（コネクタ装着用治具）５１を用いてコネクタ５２を機器５３に挿着するようにしたものである。
【０００３】
機器５３は、内部に収容した一方の端子(不図示)が、壁面５４に露出している。コネクタ５２は、一方の端子に電気的に接続される他方の端子（不図示）を有し、機器５３に直接組付けられる。その際、リフレバー５１の押圧面５５によってコネクタ５２が機器５３側に押圧されることにより、コネクタ５２の他方の端子が、機器５３の一方の端子に電気的に接続される。
【発明の開示】
【発明が解決しようとする課題】
【０００４】
ところが、上記のコネクタ着脱構造では、リフレバー５１が、コネクタ５２を機器５３に挿着することはできるものの、コネクタ５２を機器５３から離脱させることはできない。そのため、コネクタ５２を機器５３から離脱させるに際し、コネクタ５２と機器５３との挿着隙間に、例えば、マイナスドライバ等の手工具を差し込んでこじり抜くようにしていた。よって、コネクタ５２を着脱させて行なう整備がし難いばかりか、離脱時にコネクタ５２を損傷する虞があった。
【０００５】
本発明は、上記事情に鑑みてなされたものであり、その目的は、挿着・離脱を容易に行なうことができるコネクタ着脱用治具およびコネクタ着脱構造を提供することにある。
【課題を解決するための手段】
【０００６】
前述した目的を達成するため、本発明に係るコネクタ着脱用治具は、
内部に一方の端子を有し、壁面に設けられた開口部から前記一方の端子が露出する機器と、前記開口部を介して前記機器に直接組付けられて前記一方の端子に電気的に接続される他方の端子を有するコネクタと、を着脱するためのコネクタ着脱用治具であって、
把持部、当該把持部から延びた延長部、当該延長部から二又に分岐された分岐部、当該分岐部から延びて、その先端が前記壁面の前記開口部周辺に設けられた引掛部に差し込まれる支点部、および当該支点部と前記分岐部との間に設けられて前記コネクタの側部から突出する着脱用突起と係合する切欠き部、を有することを特徴としている。
【０００７】
上記構成のコネクタ着脱用治具によれば、引掛部に差し込まれた支点部を支点とし、コネクタの着脱用突起に係合した切欠き部を作用点とし、把持部を力点として、てこの原理が応用される。そして、切欠き部に係合した着脱用突起を機器側に押圧することによって、コネクタが機器に挿着される。これとは逆に、切欠き部に係合した着脱用突起を反機器側に押圧することによって、コネクタが機器から離脱される。従って、コネクタを着脱させて行なう整備を容易に行なうことができるとともに、離脱時にコネクタを損傷することがなくなり、挿着・離脱を容易に行なうことができる。
【０００８】
また、上記コネクタ着脱用治具は、前記支点部が、略球状をなし、前記引掛部と対偶を形成するように結合されていると、コネクタ着脱用治具をスムースに動かすことができるので好ましい。
【０００９】
また、上記コネクタ着脱用治具は、前記支点部が前記引掛部に差し込まれて前記切欠き部が前記着脱用突起に係合されたときに、前記コネクタの嵌合方向への操作および離脱方向への操作の両方において、前記着脱用突起への前記切欠き部の当接に伴い、前記コネクタの嵌合補助および離脱補助を行なうように構成されていれば、コネクタの機器への挿着および機器からのコネクタの離脱を確実に行なうことができるので望ましい。
【００１０】
また、前述した目的を達成するため、本発明に係るコネクタ着脱構造は、
内部に一方の端子を有し、壁面に設けられた開口部から前記一方の端子が露出する機器と、前記開口部を介して前記機器に直接組付けられて前記一方の端子に電気的に接続される他方の端子を有するコネクタと、を着脱自在にするコネクタ着脱構造であって、
前記機器の前記壁面における前記開口部周辺に形成された引掛部と、
前記コネクタの側部に突出形成された着脱用突起と、
把持部、当該把持部から延びた延長部、当該延長部から二又に分岐された分岐部、当該分岐部から延びて、その先端が前記引掛部に差し込まれる支点部、および当該支点部と前記分岐部との間に設けられて前記コネクタの前記着脱用突起と係合する切欠き部、を有するコネクタ着脱用治具と、
を備えていることを特徴としている。
【００１１】
上記構成のコネクタ着脱構造によれば、引掛部に差し込まれた支点部を支点とし、コネクタの着脱用突起に係合した切欠き部を作用点とし、把持部を力点として、てこの原理が応用される。そして、切欠き部に係合した着脱用突起を機器側に押圧することによって、コネクタが機器に挿着される。これとは逆に、切欠き部に係合した着脱用突起を反機器側に押圧することによって、コネクタが機器から離脱される。従って、コネクタを着脱させて行なう整備を容易に行なうことができるとともに、離脱時にコネクタを損傷することがなくなり、挿着・離脱を容易に行なうことができる。
【００１２】
また、上記コネクタ着脱構造は、前記支点部が、略球状をなし、前記引掛部と対偶を形成するように結合されていると、コネクタ着脱用治具をスムースに動かすことができるので好ましい。
【００１３】
また、上記コネクタ着脱構造は、前記支点部が前記引掛部に差し込まれて前記切欠き部が前記着脱用突起に係合されたときに、前記コネクタの嵌合方向への操作および離脱方向への操作の両方において、前記着脱用突起への前記切欠き部の当接に伴い、前記コネクタの嵌合補助および離脱補助を行なうように構成されていれば、コネクタの機器への挿着および機器からのコネクタの離脱を確実に行なうことができるので望ましい。
【発明の効果】
【００１４】
本発明のコネクタ着脱用治具およびコネクタ着脱構造によれば、コネクタを着脱させて行なう整備を容易に行なうことができるとともに、離脱時にコネクタを損傷することがなくなり、挿着・離脱を容易に行なうことができる。
【００１５】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１６】
以下、本発明に係る実施形態を図面に基づいて詳細に説明する。
【００１７】
図１は本発明に係るコネクタ着脱構造の一実施形態を示すコネクタ挿着直前（コネクタ完全嵌合寸前）の外観斜視図、図２は図１の縦断面図、図３は図１に示すコネクタ着脱用治具の外観斜視図、図４は図１に示すコネクタ着脱構造のコネクタ挿着時（コネクタ完全嵌合時）の外観斜視図、そして図５は図４の縦断面図である。
【００１８】
図１および図２に示されるように、本発明の一実施形態であるコネクタ着脱構造に用いられるコネクタ着脱用治具１０は、内部に一方の端子２１を有し、壁面２２に設けられた開口部２３から前記一方の端子２１が露出する機器２０と、開口部２３を介して機器２０に直接組付けられて前記一方の端子２１に電気的に接続される他方の端子３１を有するコネクタ３０と、を着脱するためのものである。
【００１９】
コネクタ着脱用治具１０は、把持部１１、当該把持部１１から延びた延長部１２、当該延長部１２から二又に分岐された分岐部１３、当該分岐部１３から延びて、その先端が壁面２２の開口部２３周辺に設けられた引掛部２４に差し込まれる支点部１４、および当該支点部１４と分岐部１３との間に設けられてコネクタ３０の側部から突出する着脱用突起３２と係合する切欠き部１５、を有する。
【００２０】
また、コネクタ着脱用治具１０は、支点部１４が、略球状をなし、引掛部２４と対偶（対偶機構）を形成するように結合されている。また、コネクタ着脱用治具１０は、支点部１４が引掛部２４に差し込まれて切欠き部１５が着脱用突起３２に係合されたときに、コネクタ３０の嵌合方向への操作および離脱方向への操作の両方において、着脱用突起３２への切欠き部１５の当接に伴い、コネクタ３０の嵌合補助および離脱補助を行なう。
【００２１】
このように構成された本発明に係るコネクタ着脱構造の一実施形態の詳細について以下に説明する。
【００２２】
機器２０は、アルミニウムダイキャスト製のモータケースを有するモータである。機器２０は、モータケースの壁面２２に設けられた開口部２３内に一方の端子２１を収容している。一方の端子２１は開口部２３内に露出して配置されている。一方の端子２１は、モータ内部の電気部品と電気的に接続される複数の端子である。機器２０は、開口部２３の周り（側方）に一対の引掛部２４が形成されている。引掛部２４は、湾曲凹面状に形成された孔であり、コネクタ着脱用治具１０の支点部１４が差し込まれることによって支点部１４と対偶を形成して支点部１４を支持する。但し、引掛部２４は、平坦な底面を有する円筒孔であってもよい。
【００２３】
コネクタ３０は、合成樹脂製のハウジング３０ａの外面を覆う導電性のカバー３０ｂを有し、一方の端子２１の数と同数の３本のモータ制御用ハーネス３３，３３，３３がハウジング３０ａに引き込まれており、機器２０の開口部２３を介して機器２０に直接組付けられる。コネクタ３０のハウジング３０ａは、機器２０の一方の端子２１に電気的に接続される他方の端子３１を収容している。また、コネクタ３０のカバー３０ｂは、両側部に一対のボス状をなす着脱用突起３２が突出形成されている。
【００２４】
コネクタ着脱用治具１０は、把持部１１と、延長部１２と、分岐部１３と、支点部１４と、切欠き部１５と、を一体に有する。把持部１１は、作業者が手で握り締め易いように、丸棒形状に形成されている。延長部１２は把持部１１から延びるように形成されている。分岐部１３は、延長部１２の先端部から延長部１２に対して略９０度の角度をもって二又状に分岐し（即ち、曲げられ）、更に延長部１２と略平行となるように曲げられて形成されている。球形状の支点部１４は分岐部１３の先端部にそれぞれ形成されている。
【００２５】
切欠き部１５は、分岐部１３の下部が部分的に開口するように略Ｌ字形状に切除された開口であって、その上部に挿着用係合部１６が形成され、その下部に離脱用係合部１７が形成されている。切欠き部１５には、コネクタ３０の着脱用突起３２が分岐部１３の下部から挿入される。そして、支点部１４が引掛部２４に差し込まれることによって、コネクタ着脱用治具１０がコネクタ３０および機器２０に装着された状態で、コネクタ着脱用治具１０が下方に向けて回動操作されることにより、挿着用係合部１６が、コネクタ３０の着脱用突起３２の上面に当接してコネクタ３０を機器２０側に押圧し、コネクタ３０を機器２０に挿着させる。これとは逆に、コネクタ着脱用治具１０が上方に向けて回動操作されることにより、離脱用係合部１７が、コネクタ３０の着脱用突起３２の下面に当接してコネクタ３０を反機器２０側に引き上げ、コネクタ３０を機器２０から離脱させる。
【００２６】
図２に示すように、機器２０の一方の端子２１は、端子ホルダ２５に組付けられており、端子ホルダ２５が開口部２３に収容されることによって、一方の端子２１が開口部２３内で露出するように配置される。コネクタ３０は、他方の端子３１がガイド３４によって囲まれるように配置されており、ガイド３４の外周部には、パッキン３５が装着されている。
【００２７】
図３に示すように、コネクタ着脱用治具１０は、把持部１１から支点部１４までの長さが比較的短く形成されている。即ち、コネクタ着脱用治具１０は、外形がコンパクトであり、作業者が容易に携行できるようになっている。また、コネクタ３０が比較的高さの低い場合や、スペース面での規制が厳しい場合であっても、コネクタ着脱用治具１０は容易に使用できる。
【００２８】
次に、図１および図２を含め、図４および図５を参照して、コネクタ着脱の手順について説明する。
【００２９】
コネクタ挿着に際しては、まず、作業者が、コネクタ３０のガイド３４を機器２０の開口部２３内に手で挿入する。その際、ガイド３４内の他方の端子３１を端子ホルダ２５に合せながら、他方の端子３１を一方の端子２１に接触させるようにする(図１，図２参照)。そして、各支点部１４を各引掛部２４内に差込み、各着脱用突起３２を切欠き部１５内に挿入して、コネクタ着脱用治具１０をコネクタ３０および機器２０に装着する。
【００３０】
次に、図４および図５に示すように、コネクタ着脱用治具１０の把持部１１が作業者の手で握られ、機器２０側に向けて回動操作される。把持部１１が下方に向けて操作されることにより、切欠き部１５の挿着用係合部１６がコネクタ３０の着脱用突起３２の上面に当接して機器２０側に押圧する。それにより、ガイド３４が端子ホルダ２５に向かって進み、コネクタ３０が機器２０に挿着され、他方の端子３１が一方の端子２１と電気的に接続される。このように、コネクタ３０および機器２０に装着されたコネクタ着脱用治具１０が、コネクタ３０および機器２０と協働することにより、コネクタ３０が機器２０に挿着される。この際、コネクタ着脱用治具１０は、コネクタ３０の嵌合方向への操作によりコネクタ３０の嵌合補助を行なう。
【００３１】
コネクタ離脱に際しては、挿着時と同様にコネクタ着脱用治具１０をコネクタ３０および機器２０に装着してから、コネクタ着脱用治具１０の把持部１１が、反機器２０側に向けて回動操作される。把持部１１が上方に向けて操作されることにより、切欠き部１５の離脱用係合部１７がコネクタ３０の着脱用突起３２の下面に当接して反機器２０側に引き上げる。それにより、ガイド３４が端子ホルダ２５から外されていき、コネクタ３０が機器２０から離脱される。このように、コネクタ３０および機器２０に装着されたコネクタ着脱用治具１０が、コネクタ３０および機器２０と協働することにより、コネクタ３０が機器２０から離脱される。この際、コネクタ着脱用治具１０は、コネクタ３０の離脱方向への操作によりコネクタ３０の離脱補助を行なう。
【００３２】
上述したように、本実施形態によれば、引掛部２４に差し込まれた支点部１４を支点とし、コネクタ３０の着脱用突起３２に係合した切欠き部１５の挿着用係合部１６および離脱用係合部１７を作用点とし、把持部１１を力点として、てこの原理が応用される。そして、切欠き部１５の挿着用係合部１６に係合した着脱用突起３２を機器２０側に押圧することによって、コネクタ３０が機器２０に挿着される。これとは逆に、切欠き部１５の離脱用係合部１７に係合した着脱用突起３２を反機器２０側に押圧することによって、コネクタ３０が機器２０から離脱される。従って、コネクタ３０を着脱させて行なう整備を容易に行なうことができるとともに、離脱時にコネクタ３０を損傷することがなくなり、挿着・離脱を容易に行なうことができる。
【００３３】
また、本実施形態によれば、引掛部２４に差し込まれた支点部１４が、略球状をなし、引掛部２４と対偶を形成するように結合されているため、支点部１４を確実に支持することができるとともに、コネクタ着脱用治具１０をスムースに動かすことができる。
【００３４】
また、本実施形態によれば、支点部１４が引掛部２４に差し込まれ、切欠き部１５の挿着用係合部１６および離脱用係合部１７が着脱用突起３２に係合されて当接することにより、コネクタ３０の嵌合方向への操作および離脱方向への操作の両方において、コネクタ３０の嵌合補助および離脱補助が行なわれる。それにより、コネクタ３０の機器２０への挿着および機器２０からのコネクタ３０の離脱を確実に行なうことができる。
【００３５】
ところで、本発明に係るコネクタ着脱構造が有効に適用可能なものとして例えばエンジン駆動とモータ駆動を併用するハイブリッド車のモータおよび当該モータに接続されるコネクタを挙げることができる。一般にハイブリッド車ではモータケースに防水電磁シールド付コネクタが用いられるが、この防水電磁シールド付コネクタは、要求体格が非常に小さいため、挿抜力が高いにも拘わらず、リフレバー等の挿抜アシスト構造を設けることが困難である。そこで、挿抜力の高い防水電磁シールド付コネクタであっても簡単に挿抜できるようにすることが望まれる。このような防水電磁シールド付コネクタであっても本発明は優れた効果を奏する。
【００３６】
尚、本発明は、前述した実施形態に限定されるものではなく、適宜、変形，改良，等が可能である。
【００３７】
例えば、機器に収容される一方の端子の数は、機器の仕様によって適宜変更設定されるものであり、それに応じてコネクタに収容される他方の端子の数も選択設定される。また、コネクタ着脱用治具は、把持部の形状が、図示した丸棒形状のものに限らず、例えば、ガングリップ形状やＴ字形状のものでもよい。
【図面の簡単な説明】
【００３８】
【図１】本発明に係るコネクタ着脱構造の一実施形態を示すコネクタ挿着直前の外観斜視図である。
【図２】図１の縦断面図である。
【図３】図１に示したコネクタ着脱用治具の外観斜視図である。
【図４】図１に示したコネクタ着脱構造のコネクタ挿着時の外観斜視図である。
【図５】図４の縦断面図である。
【図６】コネクタ着脱構造の一例の外観図である。
【符号の説明】
【００３９】
１０  コネクタ着脱用治具
１１  把持部
１２  延長部
１３  分岐部
１４  支点部
１５  切欠き部
２０  機器
２１  一方の端子
２２  壁面
２３  開口部
３０  コネクタ
３１  他方の端子
３２  着脱用突起
【図１】
2005222713.tif 000003
【図２】
2005222713.tif 000004
【図３】
2005222713.tif 000005
【図４】
2005222713.tif 000006
【図５】
2005222713.tif 000007
【図６】
2005222713.tif 000008